(57)【要約】【課題】簡素な構造で水圧を受けた際の防水シートの延びを抑えて、十分な音響特性を有する防水構造を具えた電気機器を提供する。【解決手段】電気機器の防水構造2は、短手ｔと長手ｃを有する開口5を開設したキャビネット1と、該開口5に被さる防水シート3を具えている。防水シート3は複数本のロール目30、30を略等間隔且つ互いに略平行に形成して、ロール目30と略直交する方向に伸縮可能である。防水シート3は、ロール目30が開口5の短手方向に略沿うようにキャビネット1に配備されている。【選択図】図６
2010028406.tif 000002
【特許請求の範囲】
【請求項１】
短手と長手を有する開口を開設したキャビネットと、該開口に被さる防水シートを具え、防水シートはシートを含む面内の一方向について、伸縮し難く、
防水シートは、伸縮し難い方向が開口の短手方向に略沿うようにキャビネットに配備されたことを特徴とする防水構造を有する電気機器。
【請求項２】
防水シートは複数本の互いに略平行なロール目を形成して、シートを含む面内にて、ロール目と略直交する方向に伸縮し易く、ロール目に沿う方向に伸縮し難く、
防水シートは、ロール目が開口の短手方向に略沿うようにキャビネットに配備された、請求項１に記載の防水構造を有する電気機器。
【請求項３】
防水シートは、接着剤にて開口の周縁部に取り付けられ、該接着剤の層と開口の間には、接着剤の開口への流れ込みを防ぐせき止め部材が配備された、請求項１又は２に記載の防水構造を有する電気機器。
【請求項４】
防水シートの裏面には、開口に被さらない補強用フィルムが貼り付けられている、請求項１乃至３の何れかに記載の防水構造を有する電気機器。
【発明の詳細な説明】
【技術分野】
【０００１】
本発明は、水中で使用されることを想定して、防水構造を有するデジタルカメラ等の電気機器に関する。
【背景技術】
【０００２】
図７は、従来の防水構造を有する電気機器、具体的にはデジタルカメラの断面正面図である(特許文献１参照)。斯種デジタルカメラには、音声を記録し再生するものがあり、また更に水中での使用に鑑みて、防水構造を有するものがある。キャビネット(１)内には、音を発するスピーカ(７)が設けられ、キャビネット(１)の一部には音が通る開口(５)が開設されている。
開口(５)の裏側には、防水シート(３)が両面テープ(35)にて貼り付けられている。スピーカ(７)からの音圧は、防水シート(３)を振動させ、音が外に伝わると考えられる。ここで、キャビネット(１)を一旦水中に深く沈めると、防水シート(３)が水圧を受けて延びてしまう。これでは防水シート(３)は縮むことはできても延びにくくなるから、振動しにくくなる。従って、キャビネット(１)を水中から取り出した後に、大気中でスピーカ(７)から音を再生すると、外に伝わる音が小さくなる等、十分な音響特性が得られなくなる可能性がある。
この点に鑑みて、防水シート(３)が水圧を受けても延びる長さを抑えるように、防水シート(３)の裏側にメッシュ状に形成された弾性の保護板(９)を設けている。即ち、防水シート(３)が水圧を受けても、保護板(９)が該水圧の一部を受けて伸縮し、防水シート(３)の延びを抑えている。
【０００３】
【特許文献１】特開２００１−１２８２７２号公報
【発明の開示】
【発明が解決しようとする課題】
【０００４】
従来の構成では、保護板(９)が必要であるから、防水構造の構成部品が増加する。また、キャビネット(１)の大型化にも繋がる。出願人は簡素な構成で防水構造を形成することを検討していたところ、かかる防水シート(３)には一方向にのみ延びるものがあることに気付いた。また、開口(５)は必ずしも円形又は正方形ではなく。例えば楕円形や長方形等の長手と短手を有する形状もある。該防水シート(３)はシート形成時にロール目が設けられて、該ロール目に直交する方向に延び、該ロール目に沿う方向には延びにくい。
出願人は、長手と短手を有する開口に、一方向にのみ延びる防水シート(３)を取り付け、ロール目方向を長手又は短手方向に対応させることにより、簡素な構造で水圧を受けた際の防水シート(３)の延びを抑えることを着想した。
本発明の目的は、簡素な構造で水圧を受けた際の防水シートの延びを抑えた防水構造を具えた電気機器を提供することにある。
【課題を解決するための手段】
【０００５】
電気機器は、短手と長手を有する開口を開設したキャビネットと、該開口に被さる防水シートを具えている。防水シートはシートを含む面内の一方向について、伸縮し難い。防水シートは、伸縮し難い方向が開口の短手方向に略沿うようにキャビネットに配備されている。
【発明の効果】
【０００６】
本発明にあっては、短手と長手を有する開口を覆う防水シートを、伸縮し難い方向が開口の短手方向に沿うように配備している。これにより、簡素な構造で防水シートの延びを抑えることができた。
【発明を実施するための最良の形態】
【０００７】
以下、本発明の一実施例を図を用いて詳述する。
図１は、本例に係わる電気機器、具体的にはデジタルカメラのキャビネット(１)の分解斜視図である。キャビネット(１)は、撮像レンズ(12)を具えた前側の第１キャビネット半体(10)と、後側の第２キャビネット半体(11)とを具えている。斯種デジタルカメラは、動画が撮影可能であり、音声も記録再生が可能である。従って、キャビネット(１)内には、一点鎖線で示すように、スピーカ(７)及びマイク(70)が設けられている。また、斯種デジタルカメラは、水中で使用されることがあるから、スピーカ(７)からの音が出る、又はマイク(70)への音が入る開口部分には防水構造を設ける必要がある。本例の防水構造(２)は、第１キャビネット半体(10)の底面に位置する。
図２は、図１のキャビネット(１)を上下逆にした斜視図である。キャビネット(１)の底面には、第１開口(５)、第２開口(50)が開設され、第１開口(５)は短手ｔと長手ｃを具えた楕円形であり、スピーカ(７)からの音が第１開口(５)から出る。第２開口(50)は円形であり、マイク(70)への音が該第２開口(50)から入る。第１開口(５)は、スピーカ(７)が扁平形であるのに対応して楕円形に形成されている。
【０００８】
図３は、図１の防水構造(２)の平面図であり、図４は、図３の防水構造(２)をＡ−Ａ線を含む垂直面にて破断し矢視した断面図である。第１キャビネット半体(10)の底面には凹部(13)が形成され、第１開口(５)及び第２開口(50)は凹部(13)の下側に開設されて、キャビネット(１)の裏面に露出する。第１開口(５)の周縁部にて凹部(13)内には、防水シート(３)が補強用フィルム(20)を介して設置される。防水シート(３)は極めて撓りやすい後記の材質から形成されているから、補強用フィルム(20)を介して第１開口(５)の周縁部に取り付けている。補強用フィルム(20)は第１開口(５)に合わさる貫通孔(21)を開設して、スピーカ(７)からの放音を邪魔しない。尚、防水シート(３)は表面に微細な孔を多数形成して、水蒸気は透過させるが、水は通さない周知の素材から形成される。出願人は、防水シート(３)として、ＰＴＦＥ(ポリテトラフルオロエチレン)と呼ばれるフッ素樹脂を素材とするシートを用いることを着想しているが、このシートに限定されない。また、補強用フィルム(20)にはＰＥＴ材を想定しているが、この材質に限定されない。
【０００９】
凹部(13)内には、合成樹脂製のせき止め部材(４)が防水シート(３)に被さって設けられ、該せき止め部材(４)は第１開口(５)、第２開口(50)に合わせて第１透孔(40)及び第２透孔(41)を形成して、スピーカ(７)からの放音及びマイク(70)への入音を邪魔しない。せき止め部材(４)の外周と凹部(13)の周縁部との間には、接着剤(６)が塗布される。せき止め部材(４)によって接着剤(６)は防水シート(３)上に流れ込むことが防止され、該接着剤(６)の層によって防水シート(３)が凹部(13)の周縁部、即ちキャビネット(１)に固定される。
スピーカ(７)からの音圧によって、防水シート(３)が振動する。該振動によってスピーカ(７)の音がキャビネット(１)の外に伝わる。即ち、スピーカ(７)の音は防水シート(３)に形成された微細孔を通って伝わるのではない。
【００１０】
かかる防水シート(３)にはシートを含む面内にて、一方向にのみ延びるものと、互いに直交する２方向に延びるものがあり、出願人はコストの点から一方向にのみ延びるシートの使用を検討している。図５は、該防水シート(３)の平面図である。
該防水シート(３)はシート形成時に複数のロール目(30)(30)が略等間隔且つ互いに略平行に設けられる。該防水シート(３)は、ロール目(30)に直交する方向に延び易く(伸縮し易く)、該ロール目に沿う方向には延び難い(伸縮し難い)特性がある。防水シート(３)が延びると、縮むことはできても、これ以上延びにくくなるから、振動しにくくなる。従って、外に伝わる音が小さくなる等、十分な音響特性が得られなくなる可能性がある。
この点に鑑みて、出願人は第１開口(５)に被さる防水シート(３)のロール目(30)を図６(a)、(b)に示ように、向けることにより、音響特性に差が生じることを発見した。
図６(a)に示すように、防水シート(３)を、ロール目(30)が第１開口(５)の長手ｃに沿うように向けて取り付けると、防水シート(３)は短手ｔに沿って延びやすくなる。これに対し、図６(b)に示すように、防水シート(３)を、ロール目(30)が第１開口(５)の短手ｔに沿うように向けて取り付けると、防水シート(３)は長手ｃに沿って延びやすくなる。
出願人の実験では、図６(a)に示すように、防水シート(３)を取り付けると、音響特性は良好ではなかった。これに対し、図６(b)に示すように、防水シート(３)を取り付けると、音響特性は良好であった。
【００１１】
この原因として、以下の２点が考えられる。
(Ｉ)  防水シート(３)は、ロール目(30)の本数が多ければ、強度が増すことが知られている。図６(a)に示すロール目(30)の向きでは、ロール目(30)が第１開口(５)の長手ｃに沿っているから、ロール目(30)は短手方向に沿って配列され、第１開口(５)内に位置するロール目(30)の数が少ない。
これに対し、図６(b)に示す防水シート(３)の向きでは、ロール目(30)が第１開口(５)の短手ｔに沿っているから、ロール目(30)は長手方向に沿って配列され、第１開口(５)内に位置するロール目(30)の数が多い。従って、図６(b)に示すように配置した防水シート(３)の方が、強度が増して延びにくい。
(ＩＩ)  防水シート(３)が水圧を受けると、防水シート(３)は支持された周縁部から最も離れた第１開口(５)の中央部に対応する箇所Ｘが最も延びやすい。図６(a)に示す防水シート(３)では、箇所Ｘは上又は下に延びるが、第１開口(５)の左右端部に対応する箇所Ｙが固定されているから、防水シート(３)の箇所Ｘは、箇所Ｙから箇所Ｘまでの距離ｃ／２が引っ張られるように延びる。
これに対し、図６(b)に示す防水シート(３)では、箇所Ｘは左又は右に延びるが、第１開口(５)の上下端部に対応する箇所Ｚが固定されているから、防水シート(３)の箇所Ｘは、箇所Ｚから箇所Ｘまでの距離ｔ／２が引っ張られるように延びる。ｃ／２とｔ／２とではｔ／２の方が短いから、図６(b)に示すように配置した防水シート(３)の方が、延びにくい。
従って、出願人はロール目(30)が図６(b)に示す向きに沿うように、防水シート(３)を配備して、防水構造(２)を形成した。
【００１２】
本例にあっては、防水シート(３)のロール目(30)を第１開口(５)の長手ｃに沿って向けるとの簡素な構造で、水圧を受けた際の防水シート(３)の延びを抑えている。これにより、低コスト、少ない構成部品で十分な音響特性を有する防水構造を具えたデジタルカメラを製造することができた。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１４】
【図１】本例に係わる電気機器のキャビネットの分解斜視図である。
【図２】図１のキャビネットを上下逆にした斜視図である。
【図３】図１の防水構造の平面図である。
【図４】図３の防水構造を、Ａ−Ａ線を含む垂直面にて破断し矢視した断面図である。
【図５】防水シートの平面図である。
【図６】(a)、(b)は第１開口に被さる防水シートのロール目を示す平面図である。
【図７】従来の防水構造を有するデジタルカメラの断面正面図である。
【符号の説明】
【００１５】
(１)  キャビネット
(２)  防水構造
(３)  防水シート
(４)  せき止め部材
(５)  第１開口
(６)  接着剤
(20)  補強用フィルム
(30)  ロール目
【図１】
2010028406.tif 000003
【図２】
2010028406.tif 000004
【図３】
2010028406.tif 000005
【図４】
2010028406.tif 000006
【図５】
2010028406.tif 000007
【図６】
2010028406.tif 000008
【図７】
2010028406.tif 000009